(57)【要約】      （修正有）【課題】紙製の組立式ラッパに関するもので、口で吹く動作をすることによって音が出る楽器の仕組みを幼児・児童等が理解することができる吹奏楽器を提供する。【解決手段】本体部ａとマウスピース部ｂとの２つの部材からなり、本体部は扇状のシートを組み立てるもので、山折り線２を４箇所で折り込み、差込み部と差込み片を２箇所に設け、谷折り線３を外向きに折り、ラッパ品ｃに構成する。マウスピース部はシートを蛇腹状に組み立てるもので、山折り線を折り吹入口側振動片を形成し、谷折り線を折り吹出口側振動片を形成し、吹入口側振動片を外側に、吹出口側振動片を内側にし、係止片を本体部の係止部７に差し込む。吹出口側振動片を口に当てて息を吹き込むことにより、音拡散部１３より増幅された振動音を出すことができる。【選択図】図４
0003225226.tif 000002
【実用新案登録請求の範囲】
【請求項１】
本体部とマウスピース部との２つの部材について、本体部はシート状に組み立てるもので、山折り線を４箇所に折り込み、差込み部を２か所に設け、差込み片を２箇所に設け、谷折り線を4箇所に外向きに折り、折り込み部を本体部の内側に設け、マウスピース部はシート状に組み立てるもので、山折り線を山折りに折り、谷折り線を谷折りに折り、吹入口側振動片を外側に，吹出口側振動片を内側にし、係止片を前記本体部の係止部に差し込むようにし、前記吹出口側振動片を口に当てて息を吹き込むことにより音拡散部より増幅された振動音を出すことを特徴とする組立式ラッパ。
【考案の詳細な説明】
【技術分野】
【０００１】
本考案は、紙製の組立式ラッパに関するもので、口で吹く動作をすることによって音が出る楽器の仕組みを幼児・児童等が理解することができる吹奏楽器を提供することを目的とする。
【背景技術】
【０００２】
本部材とマウスピース部材とをそれぞれシート状のパーツを組み合わせることによって作成し、本部材を山折りして組み立て、マウスピース部材も山折り、谷折りし、マウスピース部材の係止片を本部材の係止部に差し込み係合することによってラッパを構成し、吹入口側の振動片に口をあてて息を吹き込むことで、音拡散部より増幅された振動音が出るように構成されたものとしては、次に例挙する公知文献がある。
【先行技術文献】
【特許文献】
【０００３】
【特許文献１】実開平２−６１３８９号公報
【特許文献２】登録実用新案第３１９３３３１号公報
【特許文献３】特開平５−６６７６４号公報
【特許文献４】特開２０１４−８９４２９号公報
【特許文献５】特開２００６−３５９６４９号公報
【特許文献６】特開２００７−３２２８５８号公報
【特許文献７】特開２０１２−３２９１号公報
【特許文献８】特開２０１５−１６３２２３号公報
【０００４】
以上に記載したものの技術的思想においては、一長一短の構成内容になっている。
【０００５】
特許文献１は、入音口であるリード笛を吹いた時の笛音の波動によって、本体空洞開口部に固設した振動マットが上下方向に微振動する動作を見ることで、音の振動を目で確かめることができる玩具が開示されており、音が出ている時の様子を目で見て調べる実験教材という記載もある。しかし、本体と吹き口を折り畳み、組み合わせるという記載はない。
【０００６】
特許文献２は、中空筒状体とそれを保持する保持体からなる口笛の増幅器であり、吹き口をプラスチックフィルムで１周以上巻いて中空筒状体を形成し、巻回方向の内側端部にプラスチックフィルムの折り返し部を設けることで、中空筒状体の内部に吹き込まれた呼気により折り返し部が振動し、容易に口笛音を増幅させる記載はある。しかし、中空筒状体、保持体を折り畳み組み立てるという記載はない。
【０００７】
特許文献３については、ラッパ本体とラッパ本体に着脱自在に組み合わせる唄口からなるラッパであり、音の高さが異なる唄口を吹奏することで幼児でも簡単に演奏できるとの開示はがある。しかし、本体と組み合わせる唄口をそれぞれ折り畳み、組み合わせる記載はない。
【０００８】
特許文献４については、紙で制作するリード楽器であり、山折りと谷折を繰り返し蛇腹状に折った紙とリードを接着した台座板を接着し、手動で動かすことで、内部にある金属リードを振動させて音を発生させる記載はある。しかし、リードを用いるが、吹く動作で音が出るという記載はない。
【０００９】
特許文献５については、平面素材を折り曲げて封筒部を作成し、封筒部の開いた口に平面素材で振動するリード部を貼り付け、封筒内部に備える音程変更の役割を持つスライド部と共鳴させる笛が開示されており、組み立て前の平面素材を流通させることで、楽器のしくみを理解できる記載はある。しかし、振動するリード部を山折り谷折りする記載はない。
【００１０】
特許文献６については、シート状物の対向辺を接着し四角柱の中空状態の四角筒状体を形成し、山折り線により押しつぶした筒口縁の吹き口から息を吹き込むことで音を出す笛の開示はある。しかし、間隔を保って向かい合う外蓋板と内蓋板に貫通孔を設けることで、吹き口からの空気の渦により高音を出す記載はあるが、振動音という記載はない。また、笛の本体、吹き口は別体ではなく１枚のシート状であり、吹き口を谷折りするという記載はない。
【００１１】
特許文献７については、板状紙部材を用いて形成する扇状の本体と、本体の狭端部から広端部に向かい放射状に延びる複数の折罫と、差込片，差込スリットから構成され、シート状に展開できる鳴子、又はメガホンの記載はある。しかし、本体部とマウスピース部とを組み立てするとの記載はない。
【００１２】
特許文献８については、差し込み用の舌片を利用して組み合わせて作成するメガホンは開示されている。しかし、本体部とマウスピース部との組み立てをするとの記載はない。
【考案の概要】
【考案が解決しようとする課題】
【００１３】
そこで、本考案は、、口で吹く動作をすることによって音が出る楽器の仕組みを幼児・児童等が理解することができる吹奏楽器を提供しようとするものである。
【課題を解決するための手段】
【００１４】
本考案は、本体部とマウスピース部との２つの部材について、本体部はシート状に組み立てるもので、山折り線を４箇所に折り込み、差込み部を２か所に設け、差込み片を２箇所に設け、谷折り線を4箇所に外向きに折り、折り込み部を本体部の内側に設け、マウスピース部はシート状に組み立てるもので、山折り線を山折りに折り、谷折り線を谷折りに折り、吹入口側振動片を外側に，吹出口側振動片を内側にし、係止片を前記本体部の係止部に差し込むようにし、前記吹出口側振動片を口に当てて息を吹き込むことにより音拡散部より増幅された振動音を出すことにするもので、これによってラッパ品を構成するものである。
【考案の効果】
【００１５】
本考案に係る部材の組み合わせでは、幼児や児童が音楽演奏のための楽器について、音が発生する仕組みを理解する吹奏楽器を提供することができるものであるから、音楽演奏の楽しみを身近に体験することができ、教育的効果も大きいのである。
【００１６】
また、楽器を子供自身の組み立て作業によって考えながら組み立て作成し、それを自らが使用することができるので、子供自身の喜びも大きいのである。
【図面の簡単な説明】
【００１７】
【図１】本考案の２つの部材を展開記載した板紙シート
【図２】本体部の斜視図
【図３】マウスピース部の制作工程図
【図４】本体部とマウスピース部との組み合わせ状態を示した側面から見た斜視図
【図５】本体部とマウスピース部との組み合わせ状態を示した正面から見た斜視図
【考案を実施するための形態】
【００１８】
本考案を実施するための形態についての説明は、後記実施例において、各部材の板紙を折り曲げて組み立てることを説明しているから、この記載に譲ることにする。
【実施例】
【００１９】
図１に示した板紙シートから切り取った図２における本体部ａと図３におけるマウスピース部ｂという２つの部材を係合することによって、吹奏できるラッパｃ品を制作構成する考案である。
【００２０】
本体部ａは、板紙シート１から切り取ったものを組み立てるものであり、山折り線２，２，２，２を4箇所に折り込み、差込み部４，４を２箇所に設け、差込み片５，５を２箇所に設ける。また、谷折り線３，３，３，３を４箇所に外向きに折る。また、折り込み部６を本体部ａの内側に設ける。
【００２１】
マウスピース部ｂは板紙シート１から切り取ったものを組み立てるものであり、山折り線９を山折りし、谷折り線１０を谷折りする。また、吹入口側振動片１１，１１を外側に，吹出口側振動片１２を内側にし、係止片８，８を図１の本体部ａの係止部７，７，７に差し込むようにする。
【００２２】
以上により、吹入口側振動片１１，１１を口に当てて、息を吹き込むことにより、音拡散部１３より増幅された振動音が発生することになるのである。
【００２３】
板紙シートの制作時には、本体部ａについてもマウスピース部ｂについても、その全部面において任意の色彩や模様を表現すればよいのである。
【符号の説明】
【００２４】
ａ                            本体部
ｂ                            マウスピース部
ｃ                            ラッパ品
１                            板紙シート
２，２，２，２                山折り線
３，３，３，３                谷折り線
４，４                        差込み部
５，５                        差込み片 
６                            折り込み部
７，７，７                    係止部
８，８                        係止片
９，９                        山折り線
１０，１０                    谷折り線
１１，１１                    吹入口側振動片
１２                          吹出口側振動片
１３                          音拡散部
【図１】
0003225226.tif 000003
【図２】
0003225226.tif 000004
【図３】
0003225226.tif 000005
【図４】
0003225226.tif 000006
【図５】
0003225226.tif 000007
【手続補正書】
【提出日】令和1年10月21日(2019.10.21)
【手続補正１】
【補正対象書類名】明細書
【補正対象項目名】全文
【補正方法】変更
【補正の内容】
【考案の詳細な説明】
【技術分野】
【０００１】
本考案は、紙製の組立式ラッパに関するもので、口で吹く動作をすることによって音が出る楽器の仕組みを、幼児・児童等が理解することができる吹奏楽器を提供することを目的とする。
【背景技術】
【０００２】
本部材とマウスピース部材とについて、それぞれシート状のパーツを組み合わせることによって制作し、本部材を山折りして組み立て、マウスピース部材も山折り、谷折りし、マウスピース部材の係止片を本部材の係止部に差し込み係合することによってラッパを構成し、吹入口側の振動片に口をあてて息を吹き込むことによって、音拡散部より増幅された振動音が出るように構成されたものとしては、次に例挙する公知文献がある。
【先行技術文献】
【特許文献】
【０００３】
【特許文献１】実開平２−６１３８９号公報
【特許文献２】登録実用新案第３１９３３３１号公報
【特許文献３】特開平５−６６７６４号公報
【特許文献４】特開２０１４−８９４２９号公報
【特許文献５】特開２００６−３５９６４９号公報
【特許文献６】特開２００７−３２２８５８号公報
【特許文献７】特開２０１２−３２９１号公報
【特許文献８】特開２０１５−１６３２２３号公報
【０００４】
以上に記載したものの技術的思想にあっては、一長一短の構成内容になっている。
【０００５】
特許文献１は、入音口であるリード笛を吹いた時の笛音の波動によって、本体空洞開口部に固設した振動マットが上下方向に微振動する動作を見ることで、音の振動を目で確かめることができる玩具が開示されており、音が出ている時の様子を目で見て調べる実験教材という記載もある。しかし、本体と吹き口を折り畳み、組み合わせるという記載はない。
【０００６】
特許文献２は、中空筒状体とそれを保持する保持体からなる口笛の増幅器であり、吹き口をプラスチックフィルムで１周以上巻いて中空筒状体を形成し、巻回方向の内側端部にプラスチックフィルムの折り返し部を設けることで、中空筒状体の内部に吹き込まれた呼気により折り返し部が振動し、容易に口笛音を増幅させる記載はある。しかし、中空筒状体、保持体を折り畳み組み立てるという記載はない。
【０００７】
特許文献３については、ラッパ本体とラッパ本体に着脱自在に組み合わせる唄口からなるラッパであり、音の高さが異なる唄口を吹奏することで幼児でも簡単に演奏できるとの開示はがある。しかし、本体と組み合わせる唄口をそれぞれ折り畳み、組み合わせる記載はない。
【０００８】
特許文献４については、紙で制作するリード楽器であり、山折りと谷折を繰り返し蛇腹状に折った紙とリードを接着した台座板を接着し、手動で動かすことで、内部にある金属リードを振動させて音を発生させる記載はある。しかし、リードを用いるが、吹く動作で音が出るという記載はない。
【０００９】
特許文献５については、平面素材を折り曲げて封筒部を作成し、封筒部の開いた口に平面素材で振動するリード部を貼り付け、封筒内部に備える音程変更の役割を持つスライド部と共鳴させる笛が開示されており、組み立て前の平面素材を流通させることで、楽器のしくみを理解できる記載はある。しかし、振動するリード部を山折り谷折りする記載はない。
【００１０】
特許文献６については、シート状物の対向辺を接着し四角柱の中空状態の四角筒状体を形成し、山折り線により押しつぶした筒口縁の吹き口から息を吹き込むことで音を出す笛の開示はある。しかし、間隔を保って向かい合う外蓋板と内蓋板に貫通孔を設けることで、吹き口からの空気の渦により高音を出す記載はあるが、振動音という記載はない。また、笛の本体、吹き口は別体ではなく１枚のシート状であり、吹き口を谷折りするという記載はない。
【００１１】
特許文献７については、板状紙部材を用いて形成する扇状の本体と、本体の狭端部から広端部に向かい放射状に延びる複数の折罫と、差込片，差込スリットから構成され、シート状に展開できる鳴子、又はメガホンの記載はある。しかし、本体部とマウスピース部とを組み立てするとの記載はない。
【００１２】
特許文献８については、差し込み用の舌片を利用して組み合わせて作成するメガホンは開示されている。しかし、本体部とマウスピース部との組み立てをするとの記載はない。
【考案の概要】
【考案が解決しようとする課題】
【００１３】
そこで、本考案は、口で吹く動作をすることによって音が出る楽器の仕組みを幼児・児童等が理解することができる吹奏楽器を提供しようとするものである。
【課題を解決するための手段】
【００１４】
本考案は、本体部とマウスピース部から成る２つの部材の形態を１枚の板紙シートに記載し、本体部は扇状の所定形状に切り取って組み立てるもので、扇状に成る本体部には巾間隔をおいて山折り線を４箇所に設け、この各山折り線を境目に内方向に四角状に曲折し、本体部の一巾板部の外縁部に差込み片を設け、この差込み片を隣接する他巾板部の外縁部に設けた折り込み部との間に設けた被差込み部に差し込むことによりラッパ品に構成し、前記本体部の両巾板部の基端部に凹形係止部を設け、マウスピース部は板紙シートから蛇腹状に切り取ったものを組み立てるもので、マウスピース部は山折り線を山折りし、隣接する谷折り線を谷折りし、蛇腹状に折り畳んだマウスピース部は、吹入口側振動片部を外側に、吹出口側振動片部を内側にして前記本体部の係止部に係合するように成るものである。
【考案の効果】
【００１５】
本考案に係る部材の組み合わせでは、幼児や児童が音楽演奏のための楽器について、音が発生する仕組みを理解する吹奏楽器を提供することができるものであるから、音楽演奏の楽しみを身近に体験することができ、教育的効果も大きいのである。
【００１６】
また、楽器自体を子供自身が組み立て作業によって考えながら組み立て制作し、それを自らが使用することができるので、子供自身の喜びも大きいのである。
【図面の簡単な説明】
【００１７】
【図１】本考案の２つの部材を展開記載した板紙シートの正面図
【図２】本体部の斜視図
【図３】マウスピース部の制作工程図
【図４】本体部とマウスピース部との組み合わせ状態を示した側面から見た斜視図
【図５】本体部とマウスピース部との組み合わせ状態を示した正面から見た斜視図
【考案を実施するための形態】
【００１８】
本考案を実施するための形態についての説明は、実施例において、各部材の板紙を折り曲げて組み立て構成することにより説明しているから、この記載に譲ることにする。
【実施例】
【００１９】
図１に示した板紙シート１から切り取った図２における本体部ａと図３におけるマウスピース部ｂという２つの部材を係合することによって、吹奏できるラッパ品ｃを制作構成する考案である。
【００２０】
本体部ａは板紙シート１から扇状の所定形状に切り取って組み立てるもので、扇状に成る本体部ａは巾間隔をおいて山折り線２，２，２，２を４箇所に設け、この４箇所の各山折り線を境目に内方向に四角形状に曲折する。
【００２１】
５，５は前記本体部ａの一巾板部の外縁部に設けた差込み片で、この差込み片は隣接する他巾板部の外縁部に設けた折り込み部６との間に設けた被差込み孔４，４に差し込み、ラッパ品ｃの形状に構成する。
【００２２】
７，７は前記本体部ａの両巾板部の基端部に設けた凹形状の係止部である。
【００２３】
マウスピース部ｂは板紙シート１から蛇腹状の所定形状に切り取ったものを組み立てるもので、マウスピース部ｂは、山折り線９・・を山折りし、隣接する谷折り線１０・・を谷折りするものである。
【００２４】
等間隔をおいて山折り線９・・の山折り部と谷折り線１０・・の谷折り部を蛇腹状に折り畳んで構成したマウスピース部ｂは、吹入口側振動片部１１を外側に，吹出口側振動片部１２を内側にして、本体部ａの係止部７，７に係合するようにする。
【００２５】
以上のような構成において、使用者は吹入口振動片部１１・・を口に当てて息を吹き込むことによって、音拡散部１３から増幅された振動音が発生することになる。
【符号の説明】
【００２６】
ａ                            本体部
ｂ                            マウスピース部
ｃ                            ラッパ品
１                            板紙シート
２，２，２，２                山折り線
３，３，３，３                谷折り線
４，４                        被差込み孔
５，５                        差込み片
６                            折り込み部
７，７                        係止部
８，８                        係止片
９・・                        山折り線
１０・・                      谷折り線
１１・・ 吹入口側振動片部
１２，１２ 吹出口側振動片部
１３                          音拡散部
【手続補正２】
【補正対象書類名】実用新案登録請求の範囲
【補正対象項目名】全文
【補正方法】変更
【補正の内容】
【実用新案登録請求の範囲】
【請求項１】
本体部とマウスピース部から成る２つの部材の形態を１枚の板紙シートに記載し、本体部は扇状の所定形状に切り取って組み立てるもので、扇状に成る本体部には巾間隔をおいて山折り線を４箇所に設け、この各山折り線を境目に内方向に四角状に曲折し、本体部の一巾板部の外縁部に差込み片を設け、この差込み片を隣接する他巾板部の外縁部に設けた折り込み部との間に設けた被差込み部に差し込むことによりラッパ品に構成し、前記本体部の両巾板部の基端部に凹形係止部を設け、マウスピース部は板紙シートから蛇腹状に切り取ったものを組み立てるもので、マウスピース部は山折り線を山折りし、隣接する谷折り線を谷折りし、蛇腹状に折り畳んだマウスピース部は、吹入口側振動片部を外側に、吹出口側振動片部を内側にして前記本体部の係止部に係合するように成ることを特徴とする組立式ラッパ。
【手続補正３】
【補正対象書類名】図面
【補正対象項目名】全図
【補正方法】変更
【補正の内容】
【図１】
0003225226.tif 000008
【図２】
0003225226.tif 000009
【図３】
0003225226.tif 000010
【図４】
0003225226.tif 000011
【図５】
0003225226.tif 000012
【手続補正書】
【提出日】令和1年12月11日(2019.12.11)
【手続補正１】
【補正対象書類名】実用新案登録請求の範囲
【補正対象項目名】全文
【補正方法】変更
【補正の内容】
【実用新案登録請求の範囲】
【請求項１】
本体部ａとマウスピース部ｂから成る２つの部材の形態を１枚の板紙シート１に記載し、本体部は扇状の所定形状に切り取って組み立てるもので、扇状に成る本体部には巾間隔をおいて山折り線２を４箇所に設け、この各山折り線を境目に内方向に四角状に曲折し、本体部の一巾板部の外縁部に差込み片５，５を設け、この差込み片を隣接する他巾板部の外縁部に設けた折り込み部６との間に設けた被差込み部４，４に差し込むことによりラッパ品ｃに構成し、前記本体部の両巾板部の基端部に凹形係止部７，７を設け、マウスピース部は板紙シートから蛇腹状に切り取ったものを組み立てるもので、マウスピース部は山折り線９・・を山折りして吹入口側振動片部１１を形成し、隣接する谷折り線１０・・を谷折りして吹出口側振動片部１２を形成し、蛇腹状に折り畳んだマウスピース部は、吹入口側振動片部１１を外側に、吹出口側振動片部１２を内側にして前記本体部の係止部に係合するように成ることを特徴とする組立式ラッパ。
【手続補正２】
【補正対象書類名】図面
【補正対象項目名】図３
【補正方法】変更
【補正の内容】
【図３】
0003225226.tif 000013
【手続補正３】
【補正対象書類名】図面
【補正対象項目名】図４
【補正方法】変更
【補正の内容】
【図４】
0003225226.tif 000014